(57)【特許請求の範囲】
【請求項１】
地表より深い位置にある土壌を処理する方法であり、
土壌を掘削し、該土壌がある位置で攪拌し、土壌処理用添加物をそれを介して土壌中へ注入するための回転ヘッドであって、土壌処理用添加物を土壌中へ注入するための添加物吐出口を有するとともに、土壌掘削刃を有する掘削刃ヘッド及びその上方に配置された土壌攪拌翼を有し、該掘削刃ヘッド及び土壌攪拌翼がいずれも回転半径方向に拡縮可能である回転ヘッドを準備する工程と、
前記回転ヘッドを、前記掘削刃ヘッド及び土壌攪拌翼をともに縮小状態として地上から処理対象土壌層へ向けて、土壌を掘削し、攪拌しながら進入させる回転ヘッド進入工程と、
前記回転ヘッドが処理対象土壌層に到達すると、該回転ヘッドの掘削刃ヘッド及び土壌攪拌翼をともに拡大状態として該拡大状態で該処理対象土壌層の土壌を処理する土壌処理工程と、
前記土壌処理工程後、前記回転ヘッドを前記掘削刃ヘッド及び土壌攪拌翼をともに縮小状態として地上へ向けて、地上までの途中の土壌を該土壌がある位置で攪拌しながら退出させる回転ヘッド退出工程とを含んでおり、
前記土壌処理工程は、
前記処理対象土壌層において前記回転ヘッドの掘削刃ヘッド及び土壌攪拌翼をともに拡大状態とし、該掘削刃ヘッドを土壌掘削方向に、該土壌攪拌翼を該掘削刃ヘッドとは反対方向に回転駆動して土壌を掘削し、攪拌する工程と、
該処理対象土壌層に該回転ヘッドの前記添加物吐出口から土壌処理用添加物を添加注入する添加物添加注入工程と、
前記掘削刃ヘッドが土壌掘削方向に、土壌攪拌翼が該掘削刃ヘッドとは反対方向に回転駆動される前記回転ヘッドにて土壌と該添加物とを攪拌混合する工程とを含んでいることを特徴とする土壌処理方法。
【請求項２】
前記回転ヘッドとして前記添加物吐出口を複数有する回転ヘッドを採用し、前記土壌処理工程における添加物添加注入工程では、該複数の添加物吐出口の少なくとも一つから土壌処理用添加物を添加注入する請求項１記載の土壌処理方法。
【請求項３】
前記回転ヘッドとして前記添加物吐出口を少なくとも三つ有する回転ヘッドを採用し、前記土壌処理工程における添加物添加注入工程では、それら添加物吐出口の少なくとも一つから土壌処理用添加物を添加注入する請求項１記載の土壌処理方法。
【請求項４】
地表より深い位置にある土壌を処理するための土壌処理装置であり、
土壌を掘削し、該土壌がある位置で攪拌し、土壌処理用添加物をそれを介して土壌中へ注入するための回転ヘッドであって、土壌処理用添加物を土壌中へ注入するための添加物吐出口を有するとともに、土壌掘削刃を有する掘削刃ヘッド及びその上方に配置された土壌攪拌翼を有し、該掘削刃ヘッド及び土壌攪拌翼がいずれも回転半径方向に拡縮可能である回転ヘッドと、
前記回転ヘッドを支持して回転させる回転ヘッド支持駆動装置と、
土壌処理用添加物を前記回転ヘッドの添加物吐出口へ供給する添加物供給装置と、
を備えており、
前記回転ヘッド支持駆動装置は、前記掘削刃ヘッドを回転駆動する掘削刃ヘッド駆動部と、前記土壌攪拌翼を回転駆動する攪拌翼駆動部とを含んでおり、
該掘削刃ヘッド駆動部及び攪拌翼駆動部は、前記回転ヘッドの掘削刃ヘッド及び土壌攪拌翼がいずれも回転半径方向に拡大された状態で該掘削刃ヘッドを土壌掘削方向に、該土壌攪拌翼を該掘削刃ヘッドとは反対方向に回転駆動することができることを特徴とする土壌処理装置。
【請求項５】
前記回転ヘッドにおける前記掘削刃ヘッドは、回転半径方向に拡縮可能となるように開姿勢又は閉姿勢を選択的にとることができ、掘削刃ヘッド開閉装置により開閉可能である請求項４記載の土壌処理装置。
【請求項６】
前記回転ヘッドにおける前記土壌攪拌翼は、回転半径方向に拡縮可能となるように開姿勢又は閉姿勢を選択的にとることができ、前記掘削刃ヘッドの土壌掘削方向回転とは反対方向に回転駆動されることで土壌抵抗を受けて開姿勢をとり、同方向に回転駆動されることで反対の土壌抵抗を受けて閉姿勢をとる請求項４又は５記載の土壌処理装置。
【請求項７】
前記回転ヘッド支持駆動装置を昇降させる装置をさらに備えている請求項４から６のいずれかに記載の土壌処理装置。
【請求項８】
前記回転ヘッドは前記添加物吐出口を複数有しており、前記添加物供給装置は、該複数の添加物吐出口のそれぞれに対し該添加物吐出口に連通する、土壌処理用添加物の供給路を有している請求項４から７のいずれかに記載の土壌処理装置。
【請求項９】
前記回転ヘッドは前記添加物吐出口を少なくとも三つ有しており、前記添加物供給装置は、少なくとも三つある該添加物吐出口のそれぞれに対し該添加物吐出口に連通する、土壌処理用添加物の供給路を有している請求項４から７のいずれかに記載の土壌処理装置。
【発明の詳細な説明】
【０００１】
【発明の属する技術分野】
本発明は重金属等で汚染されている汚染土壌を無害化処理したり、軟弱地盤を構造物構築に適する地盤に改良する等の土壌処理方法及び装置に関する。
【０００２】
【従来の技術】
工場跡地やゴミ処理場近辺の土地の土壌は重金属等で汚染されている場合がある。このように汚染された土地を住宅地、学校等の各種施設などに転用する場合、汚染土壌に含まれる汚染物質による人体への悪影響に十分注意を払わなければならない。
【０００３】
現在、こうした汚染土壌を有する土地を利用する場合、次のような方法で土壌を無害化する土壌処理が行われている。すなわち、汚染土壌を含む土地を１又は２以上に区画化し、各区画においてそれを囲む土留め壁（乃至遮水壁）を土中に構築し、該土留め壁（乃至遮水壁）で囲まれた土壌を掘削して地上へ取り出し、予め準備された地上のコンクリート枠壁等で囲まれた土壌処理用の場所へ運搬移入し、そこで該土壌に土壌処理用の添加物を添加し、撹拌して無害化処理したのち、このように処理された土壌を再びもとの位置へ埋め戻している。
【０００４】
また、かかる汚染土壌の浄化処理ではないが、軟弱地盤等の改良にあたっては、地上から改良処理対象土壌層へ向けて回転掘削ヘッドにて掘削、進行し、処理対象土壌層において該回転掘削ヘッドを介して土壌処理用添加物の添加を行い、該ヘッドを用いて該添加物と土壌との混合攪拌等の処理を行い、その後に回転掘削ヘッドを地上へ戻している。
【０００５】
【発明が解決しようとする課題】
しかしながら、かかる従来の汚染土壌処理方法によると、次のような問題がある。
（１）汚染された土壌を土留め壁（乃至遮水壁）を構築して掘り起こし、地上へ搬出しなければならず、地上には汚染土壌処理用の場所を設けなければならず、これらの作業は大がかりとなり、さらに地上への汚染土壌の搬出、土壌処理場所への汚染土壌の搬入、処理後の土壌の埋め戻し等に種々の土壌運搬、搬送用機器も必要となり、全体として、工数が増え、工期が長くなり、ひいては工費が高くつく。
（２）処理すべき汚染土壌は地表やそれに近い位置よりも深い位置にあることが多いが、処理する必要のない表層土壌までも掘り起こし、再び埋め戻さなければならない。従ってそれだけ作業や使用添加物等の無駄が多くなり、ひいては工費が無駄に、余分にかかってしまう。
（３）処理する必要のない安定地盤状態にある表層土壌までも掘り起こし、埋め戻すことになるので、埋め戻し後の土地表層での十分な地盤強度が得られなくなる。この問題を解消しようとすると、所定の地盤強度を得るために添加物としてセメント系固化材等を多く添加することが必要となり、それだけコスト高となる。
【０００６】
また、軟弱地盤の改良処理等の場合においても、処理対象土壌は地表やそれに近い位置よりも深い位置にあることが多いが、その場合、回転掘削ヘッドが本来処理する必要のない安定地盤状態にある表層土壌或いは該表層土壌及びその近傍の土壌を通って処理対象土壌層まで掘削、進行し、処理後再び該表層土壌或いは該表層土壌及びその近傍の土壌を通って地上へ戻され、これにより、処理対象土壌層における回転掘削ヘッドによる土壌処理半径と同半径でもって表層土壌層等まで広範囲に掘削されることになり、その結果土地表層での十分な地盤強度が得られなくなる。この問題を解消しようとすると、所定の地盤強度を得るために添加物としてセメント系固化材等を多く添加することが必要となり、それだけコスト高となる。
【０００７】
そこで本発明は、少ない工数、短い工期で、簡単安価に土壌処理できる土壌処理方法及び該方法を実施する装置を提供することを課題とする。
【０００８】
また本発明は、作業の無駄、土壌処理用添加物の無駄等の無駄無く、それだけ安価に土壌処理できる土壌処理方法及び該方法を実施する装置を提供することを課題とする。
【０００９】
また本発明は処理しなくてもよい表層土壌或いは表層土壌及びその近傍の土壌についてはその地盤強度をできるだけ確保しつつより深層の土壌を処理できる土壌処理方法及び該方法を実施する装置を提供することを課題とする。
【００１０】
【課題を解決するための手段】
本発明は大別して次の第１及び第２の土壌処理方法及び土壌処理装置を提供する。
（１）第１の土壌処理方法及び装置
（１−１）第１の土壌処理方法（汚染土壌処理の方法）
地表及び（又は）地表より深い位置にある汚染された土壌を処理する方法であって、
土壌を掘削し、該土壌がある位置で攪拌することができ、土壌処理用添加物をそれを介して土壌中へ注入できる回転ヘッドを準備する工程と、
前記回転ヘッドを地上から汚染土壌層へ向けて、土壌を掘削し、攪拌しながら進入させる回転ヘッド進入工程と、
前記回転ヘッドが汚染土壌層に到達すると、該回転ヘッドを用いて該汚染土壌を処理する土壌処理工程と、
前記土壌処理工程後、前記回転ヘッドを地上へ向けて、地上までの途中の土壌を該土壌がある位置で攪拌しながら退出させる回転ヘッド退出工程とを含んでおり、
前記土壌処理工程は、
前記汚染土壌層において前記回転ヘッドにて汚染土壌を掘削し、攪拌する工程と、
該汚染土壌層に該回転ヘッドを介して土壌処理用添加物を添加注入する工程と、
前記回転ヘッドにて汚染土壌と該添加物とを攪拌混合する工程とを含んでいる汚染土壌処理方法。
【００１１】
かかる第１の土壌処理方法によると、土壌を掘削し、該土壌がある位置で攪拌し、ほぐすことができ、土壌処理用添加物をそれを介して供給できる回転ヘッドが準備される。
【００１２】
かかる回転ヘッドは、処理対象汚染土壌層上方の地上に配置され、回転駆動されつつ、地上から汚染土壌層へ向けて、土壌をそれがある位置で掘削し、攪拌し、ほぐしながら進入せしめられる。
【００１３】
汚染土壌層に到達した該回転ヘッドは、そこで、土壌処理処理に供される。
【００１４】
すなわち、回転ヘッドはさらに汚染土壌をそれがある位置で掘削し、攪拌してほぐす。
【００１５】
また、汚染土壌層においては、汚染土壌処理用の添加物が該回転ヘッドを介して汚染土壌中へ注入され、汚染土壌と混合攪拌される。
【００１６】
かくして汚染土壌の浄化処理がなされ、その後回転ヘッドは、処理された土壌層から地上へ向け、回転駆動されつつ、地上までの途中の土壌を該土壌がある位置で攪拌しながら退出せしめられる。
【００１７】
なお、土壌の掘削、攪拌においては必要に応じ、掘削、攪拌を円滑化するための水等を添加注入してもよい。
【００１８】
土壌処理工程における添加物の投入タイミングについては、汚染土壌層の一通りの掘削、攪拌が終わったあとでもよいが、汚染土壌層の掘削、攪拌処理の進行中に添加物の添加を開始してもよい。要するに汚染土壌を処理できる適当なタイミングを選んで添加すればよい。
【００１９】
添加物と汚染土壌の混合攪拌は回転ヘッドを回転させることで行える。かかる混合攪拌のタイミングについても、汚染土壌と添加物の混合攪拌を行うに支障のないタイミングであればよく、代表的には、回転ヘッドを回転させつつ添加物を添加して混合攪拌を行う。
（１−２）土壌処理装置（汚染土壌処理装置）
地表及び（又は）地表より深い位置にある汚染された土壌を処理するための汚染土壌処理装置であり、
土壌を掘削し、該土壌がある位置で攪拌することができ、土壌処理用添加物を土壌中へ供給する添加物吐出口を有する回転ヘッドと、
前記回転ヘッドを支持して回転させる回転ヘッド支持駆動装置と、
土壌処理用添加物を前記回転ヘッドの添加物吐出口へ供給する添加物供給装置とを備えており、
前記回転ヘッドには該回転ヘッドの回転に対し静止して該回転ヘッドとともに土壌に剪断力を与えるための土壌共回り防止翼を付設してある汚染土壌処理装置。
【００２０】
かかる汚染土壌処理装置によると、土壌を掘削し、該土壌がある位置で攪拌し、ほぐすことができ、土壌処理用添加物を土壌中へ注入できる添加物吐出口を有する回転ヘッドが支持駆動装置に支持されて処理対象汚染土壌層上方の地上に配置される。
【００２１】
前記回転ヘッド支持駆動装置は昇降装置に取り付けられる。例えば地上の支柱に昇降可能に取り付けられる。かくして回転ヘッドが該支柱に沿って昇降可能に配置される。かかる支柱は自走車に搭載されているものでもよいし、地上に立設されたもの等でもよい。
【００２２】
次いで回転ヘッドが支持駆動装置により回転駆動され、下降せしめられる。これにより該回転ヘッドは汚染土壌層へ向けて、土壌をそれがある位置で掘削し、攪拌し、ほぐしながら進入せしめられる。
【００２３】
汚染土壌層に到達した該回転ヘッドは、そこで、土壌処理処理に供される。
【００２４】
すなわち、回転ヘッドはさらに汚染土壌をそれがある位置で掘削し、攪拌し、ほぐす。
【００２５】
また、汚染土壌処理用の添加物が添加物供給装置から回転ヘッドの添加物吐出口に供給され、そこから汚染土壌中へ注入され、該添加物と汚染土壌が混合攪拌される。
【００２６】
かくして汚染土壌の浄化処理がなされ、その後回転ヘッドは、処理された土壌層から地上へ向け、回転駆動されつつ、地上までの途中の土壌を該土壌がある位置で攪拌しながら退出せしめられる。
【００２７】
なお、土壌の掘削、攪拌においては必要に応じ、掘削、攪拌を円滑化するための水等を添加注入してもよい。
【００２８】
土壌処理における添加物の投入タイミング、汚染土壌と添加物の混合攪拌のタイミングについては前記第１の土壌処理方法の場合と同様である。
【００２９】
この汚染土壌処理装置では、前記回転ヘッドに該回転ヘッドの回転に対し静止して該回転ヘッドとともに土壌に剪断力を与えるための土壌共回り防止翼が付設されているから、たとえ共回り防止翼以外の回転ヘッド各部が同じ方向に回されても、土壌が回転ヘッドとともに共回りしてしまって土壌の攪拌、ほぐしを十分行えないという事態の発生を抑制でき、土壌の攪拌、ほぐしや、汚染土壌と添加物との混合攪拌を所望どおり行える。
【００３０】
前記回転ヘッドは土壌を掘削し、攪拌することができるものであればよいが、代表例として、土壌掘削刃を有する掘削刃ヘッドとその上方に配置された土壌攪拌翼とを備えているものを挙げることができる。この場合、前記土壌共回り防止翼は該掘削刃ヘッドと土壌攪拌翼との間に配置されていることが望ましい。
【００３１】
以上説明した土壌処理方法及び装置によると、汚染土壌処理作業において土壌を地上へ搬出する必要がなく、殆ど地中にとどめておくことができるとともに汚染土壌をそれがある原位置で処理することができ、従来の土壌を地上へ搬出し、処理後に埋め戻す汚染土壌処理方法と比べると、少ない工数、短い工期で、簡単安価に汚染土壌を処理できる。また、従来の汚染土壌処理方法や処理装置類と比べると、作業の無駄、土壌処理用添加物の無駄等の無駄無く、それだけ安価に汚染土壌を処理できる。
（２）第２の土壌処理方法及び装置
（２−１）第２の土壌処理方法（汚染土壌処理、軟弱地盤の改良処理等の各種土壌処理に適用可能の土壌処理方法）
地表より深い位置にある土壌を処理する方法であって、
土壌を掘削し、該土壌がある位置で攪拌することができ、土壌処理用添加物を土壌中へ注入するための添加物吐出口を有し、拡縮可能に構成された回転ヘッドを準備する工程と、
前記回転ヘッドを縮小状態として地上から処理対象土壌層へ向けて、土壌を掘削し、攪拌しながら進入させる回転ヘッド進入工程と、
前記回転ヘッドが処理対象土壌層に到達すると、該回転ヘッドを拡大状態として該拡大された回転ヘッドを用いて該処理対象土壌層の土壌を処理する土壌処理工程と、
前記土壌処理工程後、前記回転ヘッドを縮小状態として地上へ向けて、地上までの途中の土壌を該土壌がある位置で攪拌しながら退出させる回転ヘッド退出工程とを含んでおり、
前記土壌処理工程は、
前記処理対象土壌層において前記回転ヘッドにて土壌を掘削し、攪拌する工程と、
該処理対象土壌層に該回転ヘッドを介して土壌処理用添加物を添加注入する工程と、
前記回転ヘッドにて土壌と該添加物とを攪拌混合する工程とを含んでいる土壌処理方法。
【００３２】
この第２の土壌処理方法によると、土壌を掘削し、該土壌がある位置で攪拌し、ほぐすことができ、土壌処理用添加物をそれを介して供給できる、拡縮可能の回転ヘッドが準備される。
【００３３】
かかる回転ヘッドは、処理対象土壌層上方の地上に配置され、縮小状態において回転駆動されつつ、地上から処理対象土壌層へ向けて、土壌をそれがある位置で掘削し、攪拌しながら進入せしめられる。
【００３４】
処理対象土壌層に到達した該回転ヘッドは、そこで拡大され、土壌処理に供される。
【００３５】
すなわち、回転ヘッドは前記進入時よりも拡大された、従ってより広い範囲にわたり掘削等できる状態で、処理対象土壌をそれがある位置で掘削し、攪拌し、ほぐす。
【００３６】
また、処理対象土壌層においては、土壌処理用の添加物が該回転ヘッドを介して該土壌中へ注入され、該土壌と混合攪拌される。
【００３７】
かくして処理対象土壌の処理がなされ、その後回転ヘッドは、処理された土壌層から地上へ向け、再び縮小された状態で回転駆動されつつ、地上までの途中の土壌を該土壌がある位置で攪拌しながら退出せしめられる。
【００３８】
なお、土壌の掘削、攪拌においては必要に応じ、掘削、攪拌を円滑化するための水等を添加注入してもよい。
【００３９】
土壌処理工程における添加物の投入タイミング、処理対象土壌と添加物の混合攪拌のタイミングは前記の第１の土壌処理方法における場合と同様である。
（２−２）第２の土壌処理装置（汚染土壌処理、軟弱地盤の改良処理等の各種土壌処理に適用可能の土壌処理装置）
地表より深い位置にある土壌を処理するための土壌処理装置であり、
土壌を掘削し、該土壌がある位置で攪拌することができ、土壌処理用添加物を土壌中へ注入する添加物吐出口を有し、回転半径方向に拡縮可能である回転ヘッドと、
前記回転ヘッドを支持して回転させる回転ヘッド支持駆動装置と、
土壌処理用添加物を前記回転ヘッドの添加物吐出口へ供給する添加物供給装置と、
を備えている土壌処理装置。
【００４０】
かかる第２の土壌処理装置によると、土壌を掘削し、該土壌がある位置で攪拌し、ほぐすことができ、土壌処理用添加物を土壌中へ注入できる添加物吐出口を有し、拡縮可能である回転ヘッドが支持駆動装置に支持されて処理対象土壌層上方の地上に配置される。
【００４１】
第２の装置においても、回転ヘッド支持駆動装置は昇降装置に取り付けられる。例えば地上の支柱に昇降可能に取り付けられる。かくして回転ヘッドが該支柱に沿って昇降可能に配置される。かかる支柱は自走車に搭載されているものでもよいし、地上に立設されたもの等でもよい。
【００４２】
次いで回転ヘッドが支持駆動装置により回転駆動され、下降せしめられる。これにより該回転ヘッドは地上から処理対象土壌層へ向けて、土壌をそれがある位置で掘削し、攪拌し、ほぐしながら進入せしめられる。このとき回転ヘッドは縮小状態とされる。
【００４３】
処理対象土壌層に到達した該回転ヘッドは、そこで、拡大状態とされ、土壌処理に供される。
【００４４】
すなわち、回転ヘッドは前記進入時よりも拡大された、従ってより広い範囲にわたり掘削等できる状態で、処理対象土壌をそれがある位置で掘削し、攪拌する。
【００４５】
また、土壌処理用の添加物が添加物供給装置から回転ヘッドの添加物吐出口に供給され、そこから処理対象土壌中へ注入され、該添加物と該土壌が混合攪拌される。
【００４６】
かくして処理対象土壌の処理がなされ、その後回転ヘッドは、処理された土壌層から地上へ向け、再び縮小状態とされて回転駆動されつつ、地上までの途中の土壌を該土壌がある位置で攪拌しながら退出せしめられる。
【００４７】
なお、土壌の掘削、攪拌においては必要に応じ、掘削、攪拌を円滑化するための水等を添加注入してもよい。
【００４８】
土壌処理における添加物の投入タイミング、土壌と添加物の混合攪拌のタイミングについては前記第１の土壌処理方法及び装置の場合と同様である。
【００４９】
第２の土壌処理方法及び装置では、第１の土壌処理方法及び装置におけると同様に、土壌処理作業において土壌を地上へ搬出する必要がなく、土壌を殆ど地中にとどめておくことができるとともに処理対象土壌をそれがある原位置で処理することができ、例えば従来の土壌を地上へ搬出し、処理後に埋め戻す汚染土壌処理と比べると、少ない工数、短い工期で、簡単安価に汚染土壌を処理できる。また、従来の汚染土壌処理と比べると、作業の無駄、土壌処理用添加物の無駄等の無駄無く、それだけ安価に汚染土壌を処理できる。
【００５０】
第２の土壌処理方法及び装置ではかかる利点に加えてさらに次の利点もある。すなわち、前記回転ヘッドは回転半径方向に拡縮可能であり、処理対象土壌層へ向けて進入するとき、及び処理された土壌層から地上へ退出するときには、縮小状態に設定でき、従って、処理する必要のない地表、或いは地表及びその近傍の土壌について徒に掘削、攪拌することがない一方、処理対象土壌層においては回転ヘッドを拡大状態に設定でき、それにより広い範囲にわたり効率よく土壌を処理でき、これらにより、表層土壌或いは表層土壌及びその近傍の土壌についてはその地盤強度をできるだけ確保しつつより深層の土壌を処理できる。
【００５１】
第２の土壌処理方法及び装置においても、前記回転ヘッドは土壌を掘削し、攪拌し、ほぐすことができるものであればよいが、代表例として、土壌掘削刃を有する掘削刃ヘッドとその上方に配置された土壌攪拌翼とを備えているものを挙げることができる。
かかる掘削刃ヘッド及び土壌攪拌翼は、回転ヘッドの拡縮のために、いずれも回転半径方向に拡縮可能なものであり、該掘削刃ヘッド及び土壌攪拌翼がともに拡大或いは縮小することで、回転ヘッドが拡縮する。
【００５２】
この場合、前記回転ヘッド支持駆動装置は、前記掘削刃ヘッドを回転駆動する掘削刃ヘッド駆動部と、前記土壌攪拌翼を回転駆動する攪拌翼駆動部とを含んでいるものとすることができる。さらに、掘削刃ヘッド及び土壌攪拌翼と土壌との共回りを防止して、土壌攪拌を十分行えるようにするために、該掘削刃ヘッド駆動部及び攪拌翼駆動部は前記回転ヘッド（さらに言えば、その掘削刃ヘッド及び土壌攪拌翼）が回転半径方向にともに拡大された状態で該掘削刃ヘッドを土壌掘削方向に、土壌攪拌翼を該掘削刃ヘッドとは反対方向に回転駆動できることが望ましい。
【００５３】
また、回転ヘッドが前記の掘削刃ヘッドと土壌攪拌翼とを備えている場合、該掘削刃ヘッドは、該回転ヘッドが回転半径方向に拡縮可能となるように開姿勢又は閉姿勢を選択的にとることができ、掘削刃ヘッド開閉装置により開閉可能としてもよい。
【００５４】
また、いずれにしても、回転ヘッドの構成を簡素化するために、前記土壌攪拌翼は、回転ヘッドが回転半径方向に拡縮可能となるように開姿勢又は閉姿勢を選択的にとることができ、前記掘削刃ヘッドの土壌掘削方向回転とは反対方向に回転駆動されることで土壌抵抗を受けて開姿勢をとり、同方向に回転駆動されることで反対の土壌抵抗を受けて閉姿勢をとるものでもよい。
【００５５】
なお、本発明に係る第１、第２のいずれの土壌処理方法においても、前記土壌処理工程においては、必要に応じ、回転ヘッドを地上へ一旦退出させ、処理対象土壌をサンプリングして（試料として採取して）土壌処理状態を検査することができる。このとき、回転ヘッドとして拡縮可能の回転ヘッドが採用されているときには、縮小状態として地上へ退出させる。土壌処理のために再び回転ヘッドを処理対象土壌層へ進入させ、さらなる土壌処理を行うときの手順は当初の回転ヘッド進入等の手順と同様である。
【００５６】
なお、本発明に係る第２の土壌処理方法及び装置が対象とする土壌処理には、汚染土壌の浄化処理等の土壌浄化処理、軟弱地盤の改良処理等の地盤改良処理等が含まれる。
【００５７】
土壌浄化処理に用いる添加物（添加剤）は、土壌汚染物質や浄化した土壌、土地の利用の仕方などによって選ばれるものであって、特に限定されるものではない。
【００５８】
例えば、アルカリ〔 Ca(OH)2、CaO 、NaOH、Mg(OH)2 など〕、酸（H2SO4 、HCl 、H3PO4 など）、塩〔CaCO3 、Ca(HCO3)2 、Na2CO3、NaHCO3、CaCl2 、NaHSO4、CaSO4 、Na4SiO4 、Na3PO4、Na2HPO4 、NaH2PO4 など〕、酸化剤〔H2O2、KMnO4 、NaMnO4、O3、NaClO 、Ca(ClO)2、Na2S2O4 など〕、還元剤〔Na2SO3、NaHSO3、Na2S2O3 、アスコルビン酸(Na 塩) 、FeCl2 、FeSO4 、鉄粉など〕、不溶化剤〔Fe(II)塩、Fe(III) 塩、Al塩、Mg塩、Na2S、CaS など〕、キレート剤（ジチオカルバミン酸塩系化合物、トリアジン系化合物など）、固化剤（セメント、焼きセッコウ、ポゾラン、珪酸塩など）、微生物、微生物の栄養剤などである。
【００５９】
これらを単独あるいは複数用いることができる。複数用いる場合、これらを同時に添加する場合と順次添加する場合がある。順次添加する場合、その添加順序は特に限定されるものではない。また、これらの添加形態は溶液、懸濁液、粉体、固体、気体のいずれでもよい。添加量も特に限定されるものではない。
【００６０】
また、地盤改良に採用できる添加物として、セメント系固化材、石灰系固化材、石こう系固化材等を例示できる。
【００６１】
【発明の実施の形態】
以下本発明の実施の形態について図面を参照して説明する。
〔Ｉ〕図１は本発明に係る土壌処理装置の１例の正面図である。
【００６２】
この処理装置Ａは、回転ヘッド１、回転ヘッド支持駆動装置２、掘削刃ヘッド開閉装置３、土壌処理用添加物の添加装置４等を備えている。
〔１〕回転ヘッド１について。
【００６３】
回転ヘッド１は複数の土壌掘削刃１１ａを有する掘削刃ヘッド１１と、その上方に配置された４枚の土壌攪拌翼１２を備えている。掘削刃ヘッド１１、土壌攪拌翼１２は次に説明するようにいずれも拡縮可能である。
【００６４】
掘削刃ヘッド１１は掘削刃ヘッド駆動軸１３の下端部に取付け固定された中央部分１１１と、この中央部１１１から両側へ延びる両外側部分１１２とを含んでいる。各外側部分１１２は中央部分１１１に回動可能にピン連結されており、上方へ折り畳まれて閉姿勢をとることができる。すなわち、駆動軸１３の下部に昇降自在にスライダ１１３が嵌合されており、このスライダ１１３と各外側部分１１２とがリンク１１４で連結されており、且つ、リンク１１４の下端部が外側部分１１２に回動自在にピン連結されているとともに上端部がスライダ１１３に回動自在にピン連結されている。かくしてスライダ１１３を駆動軸１３に沿って上昇させることで、図２に示すように、外側部分１１２が上方へ折り畳まれ、掘削刃ヘッド１１の回転半径方向の寸法が縮小される。その縮小状態からスライダ１１３を下降させると、図１に示すように、両外側部分１１２が中央部分１１１の両側へ延びるように開姿勢をとり、掘削刃ヘッド１１は回転半径方向に拡大状態となる。
【００６５】
掘削刃ヘッド１１の中央部分１１１の中央には第１の添加物吐出口１１１ａが、一方の端部には第２の添加物吐出口１１１ｂが、他方の端部には第３の添加物吐出口１１１ｃがそれぞれ設けられている。
【００６６】
前記土壌攪拌翼１２は駆動軸１４に取り付けられている。駆動軸１４は鞘管状のもので、掘削刃ヘッド駆動軸１３に回転可能に且つ昇降可能に外嵌している。
【００６７】
攪拌翼駆動軸１４の下端部は前記のスライダ１１３の上端フランジ部１１３ｆに、これを抱くように回動可能に係合しており、駆動軸１４を昇降させることでスライダ１１３を昇降させることができ、従って掘削刃ヘッド１１を拡縮させることができる。
【００６８】
なお、以上説明した掘削刃ヘッド１１は駆動軸１３の周囲に掘削刃が１８０°の中心角度間隔で配置された２翼タイプのものであるが、掘削刃の配置はこれに限定されるものではない。例えば駆動軸１３の周囲に９０°間隔で配置される４翼タイプのもの、１２０°間隔で配置される３翼タイプのもの等でもよい。
【００６９】
土壌攪拌翼１２は既述のとおり４枚あり、９０°の中心角度間隔で駆動軸１４の外周面から突出している（図３（Ａ）も参照）。
【００７０】
各攪拌翼１２は駆動軸１４から突設された部分１２１と、これに回動可能にピン連結された外側部分１２２とからなっている。外側部分１２２は前記の掘削刃ヘッド１１が土壌掘削方向ＣＷに回転駆動されるときに反対方向ＣＣＷに回転駆動されることで、図３（Ａ）に示すように土壌抵抗Ｆを受けて突出部分１２１の延長上に延びる開姿勢をとることができ、これにより攪拌翼１２は拡大状態になる。一方、外側部分１２２は、掘削刃ヘッド１１が土壌掘削方向ＣＷに回転駆動されるときに同じ方向ＣＷに回転駆動されることで、図３（Ｂ）に示すように反対側からの土壌抵抗ｆを受けて折り畳まれて閉姿勢をとることができ、これにより攪拌翼１２は縮小状態になる。
【００７１】
なお以上説明した土壌攪拌翼１２は４枚設けられており、４翼タイプのものであるが、攪拌翼１２の配置はこれに限定されるものではない。例えば、３翼タイプのもの等でもよく、或いは互いに反対方向に延びる翼を有する２翼タイプのものを上下に複数段に配置したもの等でもよい。
【００７２】
いずれにしても回転ヘッド１はその回転半径方向に拡縮可能なものである。
〔２〕回転ヘッド支持駆動装置２及び掘削刃ヘッド開閉装置３について。
【００７３】
回転ヘッド支持駆動装置２は掘削刃ヘッド駆動部２１、土壌攪拌翼駆動部２２等を含んでいる。
【００７４】
掘削刃ヘッド駆動部２１は、前記の掘削刃ヘッド駆動軸１３、これをボックス継ぎ手２０（図４も参照）等を介して回転駆動するモータＭ１等からなっている。
【００７５】
さらに説明すると、駆動軸１３は図４に示すように中空管からなり、その上端がボックス継ぎ手２０の下側部材２０２に接続されている。そしてボックス継ぎ手２０の上側部材２０１の断面形状６角形の上端部２０１が、図１に示すように、モータＭ１の回転軸ｍｓとの継ぎ手２００の断面形状６角形穴に差し込まれ、キーＫ１で抜け止めされている。
【００７６】
ボックス継ぎ手２０の下側部材２０２は断面形状６角形であり、上側部材２０１の下端部の断面形状６角形の穴に内嵌され、キーＫ２で抜け止めされている。
【００７７】
かくして、モータＭ１を運転することで、ボックス継ぎ手２０を介して駆動軸１３を回転させ、掘削刃ヘッド１１を土壌掘削方向ＣＷに回転駆動することができる。
【００７８】
土壌攪拌翼駆動部２２は、攪拌翼駆動軸１４、ギアボックスＧＢ、モータＭ２等からなっている。
【００７９】
さらに説明すると、ギアボックスＧＢはモータＭ１に一対の油圧作動のピストンシリンダ装置ＰＣにて吊り下げ支持されている。ギアボックスＧＢ内には大歯車Ｇ１が回転可能に設けられており、これに前記の攪拌翼駆動軸１４の上端が接続固定さている。またボックス内には大歯車Ｇ１に噛み合う小歯車Ｇ２が設けられており、これはボックスＧＢに搭載されたモータＭ２にて往復回転駆動可能である。前記の掘削刃ヘッド駆動軸１３やボックス継ぎ手２０はギアボックスＧＢ及びその中の大歯車Ｇ１を貫通でき、それらに対し回転可能且つ昇降可能となっている。
【００８０】
モータＭ２を運転することで、小歯車Ｇ２を回し、さらには大歯車Ｇ１回転させて攪拌翼駆動軸１４を回し、それにより土壌攪拌翼１２を掘削刃１１の土壌掘削方向回転と同方向ＣＷにも反対方向ＣＣＷにも回転駆動することができる。
【００８１】
また、各ピストンシリンダ装置ＰＣは図示省略の油圧回路に接続されており、全体的に伸長又は短縮動作させることができる。各ピストンシリンダ装置ＰＣを伸長させると、図１に示すように、ギアボックスＧＢ及び大歯車Ｇ１並びに該歯車に接続された攪拌翼駆動軸１４を掘削刃ヘッド駆動軸１３に対し相対的に下降させることができ、それにより掘削刃ヘッド拡縮用のスライダ１１３を下降させて掘削刃ヘッド１１を拡大させることができる。一方、各ピストンシリンダ装置ＰＣを縮めると、図２に示すように、ギアボックスＧＢ及び大歯車Ｇ１並びに該歯車に接続された攪拌翼駆動軸１４を掘削刃ヘッド駆動軸１３に対し相対的に上昇させることができ、それにより掘削刃ヘッド拡縮用のスライダ１１３を上昇させて掘削刃ヘッド１１を縮小させることができる。すなわち、ピストンシリンダ装置ＰＣ、駆動軸１４の下端部等は掘削刃ヘッド１１の開閉装置３を構成している。
【００８２】
以上の説明から分かるように、掘削刃ヘッド駆動部２１及び攪拌翼駆動部２２は回転ヘッド１が回転半径方向に拡大された状態、すなわち、掘削刃ヘッド１１及び土壌攪拌翼１２がともに回転半径方向に拡大された状態で掘削刃ヘッド１１を土壌掘削方向に、土壌攪拌翼１２を該掘削刃ヘッドとは反対方向に回転駆動することができる。
【００８３】
また以上の説明から分かるように、掘削刃ヘッド１１は駆動軸１３及びボックス継ぎ手２０を介してモータＭ１に支持されている。土壌攪拌翼１２は駆動軸１４、大歯車Ｇ１、ギアボックスＧＢ、ピストンシリンダ装置ＰＣを介してモータＭ１に支持されている。
【００８４】
そしてモータＭ１の背面には、図５に示すようにスライダＳＬが固定されており、このスライダＳＬは自走車Ｖに搭載された支柱ＣＬ上のレールＲＬに沿って昇降できる。また、攪拌翼駆動軸１４が支柱ＣＬから突出する軸受け部ＳＰにて回転可能、昇降可能に支持される。さらに、モータＭ１の頂部には滑車装置ｍ１が搭載されており、この滑車装置ｍ１と支柱上の滑車装置ｍ２及び図示省略のウインチ等によってモータＭ１を、従って回転ヘッド１等を昇降させることができる。すなわち支柱ＣＬ、スライダＳＬ、軸受け部ＳＰ、滑車装置ｍ１、ｍ２等は回転ヘッド支持駆動装置２を昇降させる装置を構成している。支柱ＣＬは自走車Ｖ上の油圧作動のピストンシリンダ装置ＶＰＣにより姿勢制御できる。
〔３〕土壌処理用添加物供給装置４について
添加物供給装置４は、モータＭ１の回転軸ｍｓ部分に設けられたそれ自体は既に知られているスイベル装置３１及びボックス継ぎ手２０の上側部材２０ａの中間部に設けられたそれ自体は既に知られているスイベル装置３２とを含んでいる。
【００８５】
スイベル装置３１は、モータ回転軸ｍｓに相対的に回転可能に外嵌されてモータＭ１に固設された筒部材３１１の内周面に環状凹溝３１１ａを形成し、該凹溝の一か所を筒部材３１１の外周面へ貫通させ、そこに第１添加物供給ホースＨ１を接続する一方、モータ回転軸ｍｓ中に一端が環状凹溝３１１ａに臨み、他端がボックス継ぎ手２０の上側部材２０１の上端２０１’に臨む添加物流通孔３１２を形成したものである。
【００８６】
ボックス継ぎ手２０の上側部材２０１及び下側部材２０２にはモータ回転軸の添加物流通孔３１２に連通する孔２０１１、２０２１が貫通している。下側部材２０２の孔２０２１には第１添加物の流通管Ｐ１が接続され、これは掘削刃ヘッド駆動軸１３中を通って掘削刃ヘッド１１の第１添加物吐出口１１１ａに接続されている（図１も参照）。
【００８７】
スイベル装置３２は、ボックス継ぎ手２０の上側部材２０１の中間部分に上下のベアリングＢＲを介して相対的に回転可能に外嵌する筒状部材３２１の内周面に上側環状凹溝３２１ａ及び下側環状凹溝３２１ｂを形成し、上側凹溝３２１ａの一か所を筒状部材３２１の外周面へ貫通させ、そこに第２添加物供給ホースＨ２を接続するとともに、下側凹溝３２１ｂの一か所を筒状部材３２１の外周面へ貫通させ、そこに第２添加物供給ホースＨ３を接続する一方、上側部材２０１の中間部分に、一端が環状凹溝３２１ａ、３２１ｂに臨み、他端が下側部材２０２の上端に臨む添加物流通孔３２２、３２３をそれぞれ形成したものである。
【００８８】
ボックス継ぎ手２０の下側部材２０２には上側部材２０１中の添加物流通孔３２２、３２３にそれぞれ連通する孔２０２２、２０２３が貫通している。下側部材２０２の孔２０２２、２０２３には第２添加物の流通管Ｐ２、Ｐ３がそれぞれ接続され、これは掘削刃ヘッド駆動軸１３中を通って掘削刃ヘッド１１の第２、第３の添加物吐出口１１１ｂ、１１１ｃにそれぞれ接続されている（図１も参照）。
【００８９】
なおボックス継ぎ手２０におけるＳＲ１、ＳＲ２、ＳＲ３は添加物の漏れを防止するシールリングである。
〔４〕土壌処理装置Ａによる土壌処理について。
【００９０】
土壌処理装置Ａは自走車Ｖに搭載されて図５及び図６（Ａ）に示すように処理対象汚染土壌層４０上方の地表５の上に配置される。
【００９１】
このとき掘削刃ヘッド１１は、図２にも示すようにピストンシリンダ装置ＰＣを縮めることで縮小状態とし、攪拌翼１２も折り畳んで縮小状態にしておく。すなわち回転ヘッド１の全体を縮小状態にしておく。
【００９２】
次いで回転ヘッド１の掘削刃ヘッド１１をモータＭ１により土壌掘削方向に回転駆動するとともに土壌攪拌翼１２もモータＭ２によりヘッド１１と同じ方向に回転駆動し、回転ヘッド１を下降させる。
【００９３】
かくして図６（Ｂ）に示すように、回転ヘッド１を地表５から処理対象土壌層４０へ向けて、土壌をそれがある位置で掘削し、攪拌し、ほぐしながら進入させる。この掘削、攪拌しながらのヘッド進入は、掘削刃ヘッド１１の例えば第１添加物吐出口から土壌中へ水等を注入しながら行ってもよい。
【００９４】
回転ヘッド１が処理対象土壌層４０に到達すると、そこで、回転ヘッド１を拡大状態として土壌処理に供する。
【００９５】
すなわち、図１にも示すように掘削刃ヘッド１をピストンシリンダ装置ＰＣを伸長させることで拡大状態として土壌掘削方向に回転させる一方、攪拌翼１２についてはモータＭ２を逆転させることで掘削刃ヘッド１１とは反対方向に回転させ、それにより土壌抵抗にて開状態にさせて回転させる。これにより回転ヘッド１と土壌が共回りすることを抑制して土壌を十分攪拌等できるようにする。
【００９６】
かくして回転ヘッド１は前記進入時よりも拡大された、従ってより広い範囲にわたり掘削等できる状態で、処理対象土壌をそれがある位置で掘削し、攪拌できる。
【００９７】
この作業も、掘削刃ヘッド１１の例えば第１添加物吐出口から土壌中へ水等を注入しながら行ってもよい。
【００９８】
そして、処理対象土壌層においては、土壌の状態に応じて、すなわち、例えば汚染土壌の浄化処理においては土壌の汚染状態等に応じて、掘削刃ヘッド１１の第１、第２及び第３の添加物吐出口１１１ａ、１１１ｂ及び１１１ｃのうち少なくとも一つから少なくとも１種類の汚染土壌処理用の添加物（主として土壌浄化用の薬液）を土壌中へ注入し、該添加物と土壌を混合攪拌する。その後例えば第１添加物吐出口１１１ａから土壌中へ土壌処理用添加物の１種としての土壌固化材（例えばセメント系固化材）を注入し、それと土壌を混合攪拌して汚染土壌の処理処理を完了する。
【００９９】
また、地盤の改良処理においては、土壌の状態（例えば軟弱の程度）等に応じて、例えば掘削刃ヘッド１１の第１、第２及び第３の添加物吐出口１１１ａ、１１１ｂ及び１１１ｃのうち少なくとも一つから少なくとも１種類の地盤改良用の土壌処理用添加物（例えばセメント系固化材等）を土壌中へ注入し、該添加物と土壌を混合攪拌して土壌を改良する。
【０１００】
なお、土壌層４０の処理においては、必要に応じ、回転ヘッド１を該層４中で繰り返し昇降させてもよい。
【０１０１】
その後は、ピストンシリンダ装置ＰＣを縮めることで掘削刃ヘッド１１を縮小状態とするとともに攪拌翼１２を掘削刃ヘッド１１と同じ方向に回転させつつ、従って攪拌翼１２についても縮小状態としつつ、回転ヘッド１を、処理された土壌から地表５へ向け途中の土壌を該土壌がある位置で攪拌しながら、さらに、必要に応じ、例えば第１添加物吐出口１１１ａから土壌中へ土壌処理用添加物の１種としての土壌固化材を注入し、それと土壌とを混合攪拌しながら、退出させる。
【０１０２】
このようにして一か所の土壌処理が終了すると、次の土壌処理箇所へ移り、そこでの土壌を処理し、最終的には、それには限定されないが例えば図７に示すように、隣合う土壌処理箇所４１が一部重なりあうように処理対象土壌層全体を処理する。
【０１０３】
このように処理された土壌の上には図８に例示するように家屋等ＨＳを構築して安全に使用することができる。なお図７及び図８におてい４２は地表５から処理された土壌４１に至る回転ヘッド１の移動後の土壌である。
【０１０４】
前記の処理対象土壌層４０の各箇所での処理における添加物の投入タイミングについては、その箇所での土壌層４０の一通りの掘削、攪拌が終わったあとでもよいが、土壌層４０の掘削、攪拌処理の進行中に添加物の添加を開始してもよい。要するに土壌を処理できる適当なタイミングを選んで添加すればよい。
【０１０５】
添加物と土壌の混合攪拌は回転ヘッド１を回転させることで行うが、かかる混合攪拌のタイミングについても、土壌と添加物の混合攪拌を行うに支障のないタイミングであればよく、代表的には、回転ヘッド１を回転させつつ添加物を添加して混合攪拌を行えばよい。
【０１０６】
また、添加物の態様としては、液体や液状のもの限定されるものではなく、粉体添加物でもよく、場合によってはガス添加物その他でもよい。粉体添加物は例えば空気搬送により供給することができる。
【０１０７】
以上説明した土壌処理装置Ａによる土壌処理においては、土壌を地上へ搬出する必要がなく、地表５から土壌層４０にいたるまでの土壌６を殆ど地中にとどめておくことができるとともに処理対象土壌をそれがある原位置で処理することができ、従来の汚染土壌浄化処理のように土壌を地上へ搬出し、処理後に埋め戻す方法と比べると、少ない工数、短い工期で、簡単安価に土壌を処理できる。また、作業の無駄、土壌処理用添加物の無駄等の無駄無く、それだけ安価に土壌を処理できる。
【０１０８】
さらに、回転ヘッド１は回転半径方向に拡縮可能であり、土壌層４０へ向けて進入するとき、及び処理された土壌４１から地上へ退出するときには、縮小状態に設定でき、従って、処理する必要のない地表、或いは地表及びその近傍の土壌６について徒に掘削、攪拌することがない一方、土壌層４０においては回転ヘッド１を拡大状態に設定でき、それにより広い範囲にわたり効率よく土壌を処理でき、これらにより、表層土壌或いは表層土壌及びその近傍の土壌６についてはその地盤強度をできるだけ確保しつつより深層の土壌を処理できる。
【０１０９】
土壌処理装置Ａ及びこのあと説明する土壌処理装置Ｂにおいては、添加物の供給を三つの供給経路を用いて行えるので、各添加物の供給経路を明確化でき、添加物供給におけるトラブルやメインテナンス等への対応が容易である、という利点もある。
〔ＩＩ〕図９は本発明に係る土壌処理装置の他の例の正面図である。
【０１１０】
この土壌処理装置Ｂは、次の点を除いて装置Ａと同様である。装置Ａと実質上同じ部分、部材には装置Ａと同じ参照符号を付してある。
【０１１１】
装置Ｂでは、回転ヘッド１０は拡縮しない。その代わりに回転ヘッド１０には該回転ヘッドの回転に対し静止して該回転ヘッドとともに土壌に剪断力を与えるための土壌共回り防止翼７を付設してある。翼７は掘削刃ヘッド１１と土壌攪拌翼１２の間に配置されている。
【０１１２】
翼７は駆動軸７１に設けられており、この駆動軸７１は掘削刃ヘッド駆動軸１３に外嵌しており、上端部がギアボックスＧＢに接続固定されていて回転しない。
【０１１３】
土壌攪拌翼１２の駆動軸１４は翼７の駆動軸７１に外嵌している。
【０１１４】
その他の点は装置Ａと同様である。
【０１１５】
この土壌処理装置Ｂによる土壌処理は、回転ヘッド１０が拡縮されることなく一定の大きさの状態で地上から処理対象土壌層（地表土壌層でも、より深層の土壌層でもよく、さらに地表土壌とそれに続く土壌層でもよい）へ進入せしめられ、土壌処理に供され、再び地上へ退出され、これらの作業を通じて掘削刃ヘッド１１と土壌攪拌翼１２が同じ方向に回転駆動される以外は装置Ａによる土壌処理と実質上同様である。
【０１１６】
装置Ｂでは、回転ヘッド１０に対し土壌共回り防止翼７が付設されているから、掘削刃ヘッド１１と土壌攪拌翼１２とが同じ方向に回されても、土壌が回転ヘッド１０とともに共回りしてしまって土壌の攪拌等を十分行えないという事態の発生を抑制でき、土壌の攪拌や、土壌と添加物との混合攪拌を所望どおり行える。
【０１１７】
装置Ｂによる土壌処理においても、装置Ａと同様に、土壌を地上へ搬出し、処理後に埋め戻すことはしないから、少ない工数、短い工期で、簡単安価に土壌を処理できる。特に土壌を地上へ搬出し、処理後に埋め戻す従来の汚染土壌処理方法と比べると、少ない工数、短い工期で、簡単安価に汚染土壌を処理できる。
【０１１８】
また、特に従来の汚染土壌処理方法や処理装置類と比べると、作業の無駄、土壌処理用添加物の無駄等の無駄無く、それだけ安価に汚染土壌を処理できる。
【０１１９】
なお、土壌処理装置Ａ、Ｂのいずれによる土壌処理においても、土壌処理においては、必要に応じ、回転ヘッド１、１０を地上へ一旦退出させ、処理対象土壌をサンプリングして（試料として採取して）土壌処理状態を検査することができる。このとき、回転ヘッドとして拡縮可能の回転ヘッド１が採用されているときには、縮小状態として地上へ退出させる。土壌処理のために再び回転ヘッドを処理対象土壌層へ進入させ、さらなる土壌処理を行うときの手順は当初の回転ヘッド進入等の手順と同様である。
【０１２０】
【発明の効果】
以上説明したように本発明によると、少ない工数、短い工期で、簡単安価に土壌を処理できる土壌処理方法及び該方法を実施する装置を提供することができる。
【０１２１】
また本発明によると、作業の無駄、土壌処理用添加物の無駄等の無駄無く、それだけ安価に土壌を処理できる土壌処理方法及び該方法を実施する装置を提供することができる。
【０１２２】
また本発明によると、処理しなくてもよい表層土壌或いは表層土壌及びその近傍の土壌についてはその地盤強度をできるだけ確保しつつより深層の土壌を処理できる土壌処理方法及び該方法を実施する装置を提供することができる。
【図面の簡単な説明】
【図１】本発明に係る土壌処理装置の１例の正面図である。
【図２】図１の装置において回転ヘッドを縮小した状態の正面図である。
【図３】図３（Ａ）は土壌攪拌翼の拡大状態の平面図であり、図３（Ｂ）はその縮小状態の平面図である。
【図４】ボックス継ぎ手及び添加物供給装置の主要部の断面図である。
【図５】図１の装置を自走車に搭載した状態の側面図である。
【図６】図６（Ａ）から図６（Ｃ）は土壌処理の手順の一部を示す図である。
【図７】土壌処理領域の様子を示す平面図である。
【図８】処理された土地とその上に構築される家等を示す図であり、土地については図７のＸ−Ｘ線断面で示してある。
【図９】本発明に係る土壌処理装置の他の例の正面図である。
【符号の説明】
Ａ  土壌処理装置
１  回転ヘッド
１１  掘削刃ヘッド
１１ａ  土壌掘削刃
１１１  ヘッド１１の中央部分
１１２  ヘッド１１の外側部分
１１３  スライダ
１１３ｆ  フランジ部
１１４  連結リンク
１１１ａ  第１添加物吐出口
１１１ｂ  第２添加物吐出口
１１１ｃ  第３添加物吐出口
１３  掘削刃ヘッド駆動軸
１２  土壌攪拌翼
１４  土壌攪拌翼駆動軸
１２１  翼１２の駆動軸１４からの突出部分
１２２  翼１２の外側部分
ＣＷ  掘削刃ヘッド１１の土壌掘削方向回転
ＣＣＷ  ＣＷとは反対方向回転
２  回転ヘッド支持駆動装置
２１  掘削刃ヘッド駆動部
２２  土壌攪拌翼駆動部
２０  ボックス継ぎ手
２０１  継ぎ手２０の上側部材
２０１’  上側部材２０の上端部
２０２  継ぎ手２０の下側部材
Ｍ１  モータ
ｍｓ  モータＭ１の回転軸
２００  継ぎ手
Ｋ１、Ｋ２  抜け止めキー
Ｍ２  モータ
ＧＢ  ギアボックス
Ｇ１  大歯車
Ｇ２  小歯車
ＰＣ  ピストンシリンダ装置
３  掘削刃ヘッド開閉装置
ＳＬ  スライダ
Ｖ  自走車
ＣＬ  支柱
ＲＬ  レール
ｍ１、ｍ２  滑車装置
ＶＰＣ  ピストンシリンダ装置
４  土壌処理用添加物の添加装置
３１、３２  スイベル装置
３１１  筒部材
３１１ａ  環状凹溝
Ｈ１  第１添加物供給ホース
３１２  添加物流通孔
２０１１、２０２１  孔
Ｐ１、Ｐ２、Ｐ３  添加物流通管
ＢＲ  ベアリング
３２１  筒状部材
３２１ａ  上側環状凹溝
３２１ｂ  下側環状凹溝
Ｈ２  第２添加物供給ホース
Ｈ３  第３添加物供給ホース
３２２、３２３  添加物流通孔
２０２２、２０２３  孔
ＳＲ１、ＳＲ２、ＳＲ３  添加物漏れ防止シールリング
４０  処理対象土壌層
４１  土壌処理箇所
５  地表
６  地表及びその近傍の土壌層
４２  地表から処理土壌４１に至る回転ヘッドの移動後の土壌
Ｂ  土壌処理装置
１０  回転ヘッド
７  土壌共回り防止翼
７１  翼７の駆動軸
【図１】
0003645185.tif 000002
【図２】
0003645185.tif 000003
【図３】
0003645185.tif 000004
【図４】
0003645185.tif 000005
【図５】
0003645185.tif 000006
【図６】
0003645185.tif 000007
【図７】
0003645185.tif 000008
【図８】
0003645185.tif 000009
【図９】
0003645185.tif 000010